(57)【要約】  非アンカー無線基地局は、無線端末から受信する上りリンク信号の受信品質を測定する非アンカー側測定部と、非アンカー側測定部によって測定された受信品質をアンカー無線基地局に通知する通知部とを備える。アンカー無線基地局は、無線端末から上りリンク信号を受信するタイミングを所望のタイミングに調整するように、無線端末が上りリンク信号を送信するタイミングを調整するための制御信号を無線端末に送信する送信部と、非アンカー無線基地局から通知された受信品質に基づいて、非アンカー無線基地局を無線基地局群から除外するか否かを判定する判定部とを備える。
2014073540.tif 000002
【特許請求の範囲】
【請求項１】
無線端末と通信を行う複数の無線基地局を備える移動通信システムであって、
前記複数の無線基地局は、１つのアンカー無線基地局と前記アンカー無線基地局以外の非アンカー無線基地局とを含む無線基地局群を構成しており、
前記非アンカー無線基地局は、
前記無線端末から受信する上りリンク信号の受信品質を測定する非アンカー側測定部と、
前記非アンカー側測定部によって測定された受信品質を前記アンカー無線基地局に通知する通知部とを備え、
前記アンカー無線基地局は、
前記無線端末から前記上りリンク信号を受信するタイミングを所望のタイミングに調整するように、前記無線端末が前記上りリンク信号を送信するタイミングを調整するための制御信号を前記無線端末に送信する送信部と、
前記非アンカー無線基地局から通知された受信品質に基づいて、前記非アンカー無線基地局を前記無線基地局群から除外するか否かを判定する判定部とを備えることを特徴とする移動通信システム。
【請求項２】
前記アンカー無線基地局は、前記無線端末から受信する前記上りリンク信号の受信品質を測定するアンカー側測定部を備え、
前記判定部は、前記アンカー側測定部によって測定された受信品質及び前記非アンカー側測定部によって測定された受信品質に含まれる最良の受信品質に対する差異が第１閾値を超える受信品質を測定する非アンカー無線基地局を前記無線基地局群から除外すると判定することを特徴とする請求項１に記載の移動通信システム。
【請求項３】
前記判定部は、前記非アンカー側測定部によって測定された受信品質が第２閾値を下回る受信品質を測定する非アンカー無線基地局を前記無線基地局群から除外すると判定することを特徴とする請求項１に記載の移動通信システム。
【請求項４】
前記第１閾値は、前記最良の受信品質に応じて定められることを特徴とする請求項２に記載の移動通信システム。
【請求項５】
前記第１閾値は、前記上りリンク信号の変調方式に応じて定められることを特徴とする請求項２に記載の移動通信システム。
【請求項６】
無線端末と通信を行う複数の無線基地局を備える移動通信システムで用いる移動通信方法であって、
前記複数の無線基地局は、１つのアンカー無線基地局と前記アンカー無線基地局以外の非アンカー無線基地局とを含む無線基地局群を構成しており、
前記アンカー無線基地局から前記無線端末に対して、前記無線端末から上りリンク信号を受信するタイミングを所望のタイミングに調整するように、前記無線端末が前記上りリンク信号を送信するタイミングを調整するための制御信号を送信するステップＡと、
前記非アンカー無線基地局において、前記無線端末から受信する前記上りリンク信号の受信品質を測定するステップＢと、
前記非アンカー無線基地局から前記アンカー無線基地局に対して、前記ステップＢで測定された受信品質を通知するステップＣと、
前記アンカー無線基地局において、前記非アンカー無線基地局から通知された受信品質に基づいて、前記非アンカー無線基地局を前記無線基地局群から除外するか否かを判定するステップＤとを備えることを特徴とする移動通信方法。
【発明の詳細な説明】
【技術分野】
【０００１】
本発明は、複数の無線基地局を備える移動通信システム、移動通信システムで用いる移動通信方法に関する。
【背景技術】
【０００２】
従来、複数の無線基地局を備える移動通信システムが知られている。例えば、このような移動通信システムとして、ＬＴＥ（Ｌｏｎｇ  Ｔｅｒｍ  Ｅｖｏｌｕｔｉｏｎ）が知られている。【０００３】
ここで、複数の無線基地局が連携して行う処理として、ハンドオーバ、協調受信処理、協調送信処理などが考えられる。協調受信処理及び協調送信処理は、ＣｏＭＰ（Ｃｏｏｒｄｉｎａｔｅｄ  Ｍｕｌｔｉ−Ｐｏｉｎｔ  Ｏｐｅｒａｔｉｏｎ）などと称される（非特許文献１参照）。例えば、上りリンクにおける協調受信処理においては、複数の無線基地局で受信する上りリンク信号の選択合成が行われる。【０００４】
具体的には、複数の無線基地局は、１つのアンカー無線基地局と、残りの非アンカー無線基地局とを含む。非アンカー無線基地局は、バックホール・ネットワークを介して、上りリンク信号をアンカー無線基地局に送信する。アンカー無線基地局は、無線端末から送信される上りリンク信号及び非アンカー無線基地局から受信する上りリンク信号の選択合成を行う。
【先行技術文献】
【非特許文献】
【０００５】
【非特許文献１】３ＧＰＰ技術報告  「ＴＲ  ３６．８１９  Ｖ１１．１．０」  ２０１１年１２月
【発明の概要】
【０００６】
このようなケースにおいて、複数の無線基地局と無線端末との間の同期を取ることが好ましい。しかしながら、上りリンクにおける協調受信処理では、複数の無線基地局に対して無線端末が上りリンク信号を送信するタイミングが同じであるため、複数の無線基地局のそれぞれについて、無線基地局と無線端末との間の同期を取ることができない。
【０００７】
第１の特徴に係る移動通信システムは、無線端末と通信を行う複数の無線基地局を備える。前記複数の無線基地局は、１つのアンカー無線基地局と前記アンカー無線基地局以外の非アンカー無線基地局とを含む無線基地局群を構成する。前記非アンカー無線基地局は、前記無線端末から受信する上りリンク信号の受信品質を測定する非アンカー側測定部と、前記非アンカー側測定部によって測定された受信品質を前記アンカー無線基地局に通知する通知部とを備える。前記アンカー無線基地局は、前記無線端末から前記上りリンク信号を受信するタイミングを所望のタイミングに調整するように、前記無線端末が前記上りリンク信号を送信するタイミングを調整するための制御信号を前記無線端末に送信する送信部と、前記非アンカー無線基地局から通知された受信品質に基づいて、前記非アンカー無線基地局を前記無線基地局群から除外するか否かを判定する判定部とを備える。
【０００８】
第２の特徴に係る移動通信方法は、無線端末と通信を行う複数の無線基地局を備える移動通信システムで用いる。前記複数の無線基地局は、１つのアンカー無線基地局と前記アンカー無線基地局以外の非アンカー無線基地局とを含む無線基地局群を構成する。移動通信方法は、前記アンカー無線基地局から前記無線端末に対して、前記無線端末から上りリンク信号を受信するタイミングを所望のタイミングに調整するように、前記無線端末が前記上りリンク信号を送信するタイミングを調整するための制御信号を送信するステップＡと、前記非アンカー無線基地局において、前記無線端末から受信する前記上りリンク信号の受信品質を測定するステップＢと、前記非アンカー無線基地局から前記アンカー無線基地局に対して、前記ステップＢで測定された受信品質を通知するステップＣと、前記アンカー無線基地局において、前記非アンカー無線基地局から通知された受信品質に基づいて、前記非アンカー無線基地局を前記無線基地局群から除外するか否かを判定するステップＤとを備える。
【図面の簡単な説明】
【０００９】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係る適用ケースを示す図である。
【図６】図６は、第１実施形態に係る適用ケースを示す図である。
【図７】図７は、第１実施形態に係るアンカー無線基地局３１０Ａを示すブロック図である。
【図８】図８は、第１実施形態に係る非アンカー無線基地局３１０Ｂを示すブロック図である。
【図９】図９は、第１実施形態に係る移動通信システム１００の動作（第１手法）を示すシーケンス図である。
【図１０】図１０は、第１実施形態に係る移動通信システム１００の動作（第２手法）を示すシーケンス図である。
【図１１】図１１は、変更例１に係る第１閾値の設定方法を示す図である。
【図１２】図１２は、変更例１に係る第１閾値の設定方法を示す図である。
【発明を実施するための形態】
【００１０】
以下において、本発明の実施形態に係る移動通信システムについて、図面を参照しながら説明する。なお、以下の図面の記載において、同一又は類似の部分には、同一又は類似の符号を付している。
【００１１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１２】
［実施形態の概要］
実施形態に係る移動通信システムは、無線端末と通信を行う複数の無線基地局を備える。前記複数の無線基地局は、１つのアンカー無線基地局と前記アンカー無線基地局以外の非アンカー無線基地局とを含む無線基地局群を構成する。前記非アンカー無線基地局は、前記無線端末から受信する前記上りリンク信号の受信品質を測定する非アンカー側測定部と、前記非アンカー側測定部によって測定された受信品質を前記アンカー無線基地局に通知する通知部とを備える。前記アンカー無線基地局は、前記無線端末から上りリンク信号を受信するタイミングを所望のタイミングに調整するように、前記無線端末が前記上りリンク信号を送信するタイミングを調整するための制御信号を前記無線端末に送信する送信部と、前記非アンカー無線基地局から通知された受信品質に基づいて、前記非アンカー無線基地局を前記無線基地局群から除外するか否かを判定する判定部とを備える。
【００１３】
実施形態では、無線端末から上りリンク信号を受信するタイミングがアンカー無線基地局にとって所望のタイミングに調整された上で、非アンカー無線基地局から通知された受信品質に基づいて、非アンカー無線基地局を無線基地局群から除外するか否かが判定される。従って、上りリンクにおける協調受信処理に寄与しない無線基地局（非アンカー無線基地局）を無線基地局群から適切に除外することができる。さらには、上りリンクにおける協調受信処理に寄与しない無線基地局（非アンカー無線基地局）からアンカー無線基地局に対して、バックホール・ネットワークを介して上りリンク信号を送信する必要がないため、バックホール・ネットワークのリソースの無駄な消費が抑制される。
【００１４】
［第１実施形態］
（移動通信システム）
以下において、第１実施形態に係る移動通信システムについて説明する。図１は、第１実施形態に係る移動通信システム１００を示す図である。
【００１５】
図１に示すように、移動通信システム１００は、無線端末１０（以下、ＵＥ１０）と、コアネットワーク５０とを含む。また、移動通信システム１００は、第１通信システムと第２通信システムとを含む。
【００１６】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００１７】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００１８】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００１９】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００２０】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００２１】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００２２】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００２３】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００２４】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００２５】
ＭＮＢ２１０Ａは、一般セル２１１Ａを管理しており、一般セル２１１Ａに存在するＵＥ１０と無線通信を行う装置（ＮｏｄｅＢ）である。
【００２６】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００２７】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００２８】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００２９】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３０】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３１】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００３２】
なお、以下においては、第１通信システムについて主として説明する。但し、以下の記載が第２通信システムに適用されてもよい。
【００３３】
ここで、第１通信システムでは、下りリンクの多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上りリンクの多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３４】
また、第１通信システムでは、上りリンクのチャネルとして、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下りリンクのチャネルとして、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下りリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３５】
上りリンク制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３６】
ＣＱＩは、下りリンクの伝送に使用すべき推奨変調方式と符号化速度を通知する信号である。ＰＭＩは、下りリンクの伝送の為に使用することが望ましいプリコーダマトリックスを示す信号である。ＲＩは、下りリンクの伝送に使用すべきレイヤ数（ストリーム数）を示す信号である。ＳＲは、上りリンク無線リソース（後述するリソースブロック）の割当てを要求する信号である。ＡＣＫ／ＮＡＣＫは、下りリンクのチャネル（例えば、ＰＤＳＣＨ）を介して送信される信号を受信できたか否かを示す信号である。
【００３７】
上りリンク共有チャネルは、制御信号（上述した制御信号を含む）又は／及びデータ信号を搬送するチャネルである。例えば、上りリンク無線リソースは、データ信号にのみ割当てられてもよく、データ信号及び制御信号が多重されるように割当てられてもよい。
【００３８】
下りリンク制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３９】
Ｕｐｌｉｎｋ  ＳＩは、上りリンク無線リソースの割当てを示す信号である。Ｄｏｗｎｌｉｎｋ  ＳＩは、下りリンク無線リソースの割当てを示す信号である。ＴＰＣビットは、上りリンクのチャネルを介して送信される信号の電力の増減を指示する信号である。
【００４０】
下りリンク共有チャネルは、制御信号又は／及びデータ信号を搬送するチャネルである。例えば、下りリンク無線リソースは、データ信号にのみ割当てられてもよく、データ信号及び制御信号が多重されるように割当てられてもよい。
【００４１】
なお、下りリンク共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上りリンク信号に基づいてＭｅＮＢ１１０Ａによって測定される。詳細には、ＴＡは、ＵＥ１０から上りリンク信号を受信するタイミングを所望のタイミングに調整するように、ＵＥ１０が上りリンク信号を送信するタイミングを調整するための制御信号の一例である。
【００４２】
また、下りリンク制御チャネル（ＰＤＣＣＨ）、下りリンク共有チャネル（ＰＤＳＣＨ）以外のチャネルを介して送信される制御信号としては、ＡＣＫ／ＮＡＣＫが挙げられる。ＡＣＫ／ＮＡＣＫは、上りリンクのチャネル（例えば、ＰＵＳＣＨ）を介して送信される信号を受信できたか否かを示す信号である。
【００４３】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００４４】
（無線フレーム）
以下において、第１通信システムにおける無線フレームについて説明する。図２は、第１通信システムにおける無線フレームを示す図である。
【００４５】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４６】
なお、１つのスロットは、下りリンクにおいて、複数のＯＦＤＭシンボル（例えば、６つのＯＦＤＭシンボル或いは７つのＯＦＤＭシンボル）によって構成される。同様に、１つのスロットは、上りリンクにおいて、複数のＳＣ−ＦＤＭＡシンボル（例えば、６つのＳＣ−ＦＤＭＡシンボル或いは７つのＳＣ−ＦＤＭＡシンボル）によって構成される。
【００４７】
（無線リソース）
以下において、第１通信システムにおける無線リソースについて説明する。図３は、第１通信システムにおける無線リソースを示す図である。
【００４８】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４９】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５０】
また、無線リソースは、ＭｅＮＢ１１０Ａによって割当てられる。ＭｅＮＢ１１０Ａは、ＣＱＩ、ＰＭＩ、ＲＩなどに基づいて、各ＵＥ１０に割当てられる。
【００５１】
（適用シーン）
以下において、第１実施形態に係る適用シーンについて説明する。図４は、第１実施形態に係る適用シーンを説明するための図である。図４では、１つのアンカー無線基地局３１０Ａ及び複数の非アンカー無線基地局３１０Ｂが無線基地局として設けられるケースについて例示する。アンカー無線基地局３１０Ａ及び非アンカー無線基地局３１０Ｂは、ＵＥ１０から送信される上りリンク信号を協調して受信する無線基地局群（ＣｏＭＰセット）を構成する。
【００５２】
図４に示すように、ＵＥ１０は、アンカー無線基地局３１０Ａ及び非アンカー無線基地局３１０Ｂに対して、上りリンク信号を送信する。ＵＥ１０から送信される上りリンク信号は、符号化されていることに留意すべきである。例えば、ＵＥ１０から送信される上りリンク信号は、例えば、上述した上りリンク共有チャネル（ＰＵＳＣＨ）を介して送信される。
【００５３】
ここで、非アンカー無線基地局３１０Ｂは、バックホール・ネットワークを介して、上りリンク信号をアンカー無線基地局３１０Ａに送信する。アンカー無線基地局３１０Ａは、ＵＥ１０から送信される上りリンク信号及び非アンカー無線基地局３１０Ｂから受信する上りリンク信号の選択合成を行う。
【００５４】
バックホール・ネットワークは、無線基地局同士を直接的に接続するＸ２インタフェースであってもよく、無線基地局同士を上位ノード（例えば、ＭＭＥ１３０）経由で接続するＳ１インタフェースであってもよい。
【００５５】
アンカー無線基地局３１０Ａ及び非アンカー無線基地局３１０Ｂは、無線基地局であればよい。すなわち、第１実施形態において、アンカー無線基地局３１０Ａ及び非アンカー無線基地局３１０Ｂは、ＭｅＮＢ１１０Ａ、ＨｅＮＢ１１０Ｂ、ＭＮＢ２１０Ａ及びＨＮＢ２１０Ｂのいずれかである。
【００５６】
ここで、非アンカー無線基地局３１０Ｂとして、非アンカー無線基地局３１０Ｂ１及び非アンカー無線基地局３１０Ｂ２が設けられるケースについて、図５及び図６を参照しながら説明する。
【００５７】
このようなケースにおいて、ＵＥ１０から受信する上りリンク信号の受信タイミングと所望の受信タイミングとのずれ（すなわち、ＴＡ；Ｔｉｍｉｎｇ  Ａｄｖａｎｃｅ）は、図５に示すように、無線基地局毎に異なる。
【００５８】
第１実施形態では、アンカー無線基地局３１０Ａは、ＵＥ１０から上りリンク信号を受信するタイミングを所望のタイミングに調整するように、ＵＥ１０が上りリンク信号を送信するタイミングを調整するための制御信号（ＴＡ）をＵＥ１０に送信する。これによって、図６に示すように、アンカー無線基地局３１０Ａにおいては、ＵＥ１０から上りリンク信号を受信するタイミングが所望のタイミングに揃う。
【００５９】
一方で、非アンカー無線基地局３１０Ｂ１及び非アンカー無線基地局３１０Ｂ２においては、図６に示すように、ＵＥ１０から上りリンク信号を受信するタイミングが所望のタイミングからずれたままである。このようなケースにおいて、非アンカー無線基地局３１０Ｂ１及び非アンカー無線基地局３１０Ｂ２は、ＵＥ１０から受信する上りリンク信号の受信品質を測定する。続いて、非アンカー無線基地局３１０Ｂ１及び非アンカー無線基地局３１０Ｂ２は、測定された受信品質をアンカー無線基地局３１０Ａに通知する。
【００６０】
アンカー無線基地局３１０Ａは、非アンカー無線基地局３１０Ｂ１及び非アンカー無線基地局３１０Ｂ２から通知された受信品質に基づいて、上りリンクにおける協調受信処理を行う無線基地局によって構成される無線基地局群から非アンカー無線基地局３１０Ｂを除外するか否かを判定する。
【００６１】
第１手法としては、アンカー無線基地局３１０Ａは、最良受信品質に対する差異が第１閾値を超える受信品質を測定（通知）する非アンカー無線基地局３１０Ｂを無線基地局群から除外する。最良受信品質は、アンカー無線基地局３１０Ａによって測定された受信品質及び非アンカー無線基地局３１０Ｂによって測定された受信品質のうち、最も良好な受信品質である。
【００６２】
第２手法として、アンカー無線基地局３１０Ａは、第２閾値を下回る受信品質を測定（通知）する非アンカー無線基地局３１０Ｂを無線基地局群から除外する。
【００６３】
第１実施形態において、アンカー無線基地局３１０Ａは、第１手法の条件及び第２手法の条件の双方を満たす非アンカー無線基地局３１０Ｂを無線基地局群から除外してもよい。或いは、アンカー無線基地局３１０Ａは、第１手法の条件及び第２手法の条件のいずれかを満たす非アンカー無線基地局３１０Ｂを無線基地局群から除外してもよい。
【００６４】
ここで、受信品質は、例えば、ＵＥ１０から送信される上りリンク信号のＳＩＮＲ（Ｓｉｇｎａｌ  ｔｏ  Ｉｎｔｅｒｆｅｒｅｎｃｅ  Ｒａｔｉｏ）、Ｃ／Ｉ（Ｃａｒｒｉｅｒ  ｔｏ  Ｉｎｔｅｒｆｅｒｅｎｃｅ）、受信レベルなどである。受信品質を測定すべき上りリンク信号は、例えば、ＤＭ  ＲＳ（Ｄｅｍｏｄｕｌａｔｉｏｎ  Ｒｅｆｅｒｅｎｃｅ  Ｓｉｇｎａｌ）又はＳＲＳ（Ｓｏｕｎｄｉｎｇ  Ｒｅｆｅｒｅｎｃｅ  Ｓｉｇｎａｌ）である。ＤＭ  ＲＳは、ＰＵＳＣＨの復調に用いる参照信号である。ＳＲＳは、上りリンクの帯域全体に亘って分散される参照信号である。
【００６５】
（アンカー無線基地局）
以下において、第１実施形態に係るアンカー無線基地局について説明する。図７は、第１実施形態に係るアンカー無線基地局３１０Ａを示すブロック図である。
【００６６】
図７に示すように、アンカー無線基地局３１０Ａは、受信部３１３Ａと、送信部３１４Ａと、インタフェース３１５Ａと、制御部３１６Ａとを有する。
【００６７】
受信部３１３Ａは、アンカー無線基地局３１０Ａによって管理されるセルと接続されたＵＥ１０から上りリンク信号を受信する。受信部３１３Ａは、例えば、上りリンク共有チャネル（ＰＵＳＣＨ）を介して上りリンク信号を受信する。
【００６８】
送信部３１４Ａは、アンカー無線基地局３１０Ａによって管理されるセルと接続されたＵＥ１０に下りリンク信号を送信する。送信部３１４Ａは、ＵＥ１０から上りリンク信号を受信するタイミングを所望のタイミングに調整するように、ＵＥ１０が上りリンク信号を送信するタイミングを調整するための制御信号（ＴＡ）をＵＥ１０に送信する送信部を構成する。送信部３１４Ａは、アンカー無線基地局３１０Ａをサービング基地局（サービングセル）として利用するＵＥ１０に対して、アンカー無線基地局３１０Ａによって割当てられた無線リソース（スケジューリング情報）を送信する。
【００６９】
インタフェース３１５Ａは、バックホール・ネットワーク経由で他の無線基地局と通信を行うインタフェースである。インタフェース３１５Ａは、無線基地局同士を直接的に接続するＸ２インタフェースである。或いは、インタフェース３１５Ａは、無線基地局同士を上位ノード（例えば、ＭＭＥ１３０）経由で接続するＳ１インタフェースである。
【００７０】
第１実施形態において、インタフェース３１５Ａは、バックホール・ネットワークを介して、非アンカー無線基地局３１０Ｂによって測定された受信品質（非アンカー無線基地局３１０ＢがＵＥ１０から受信する上りリンク信号の受信品質）を非アンカー無線基地局３１０Ｂから取得する。インタフェース３１５Ａは、バックホール・ネットワークを介して、非アンカー無線基地局３１０Ｂが受信する上りリンク信号（ＰＵＳＣＨ）を非アンカー無線基地局３１０Ｂから受信する。
【００７１】
制御部３１６Ａは、アンカー無線基地局３１０Ａの動作を制御する。例えば、制御部３１６Ａは、ＵＥ１０から受信する上りリンク信号（ＰＵＳＣＨ）及び非アンカー無線基地局３１０Ｂから受信する上りリンク信号（ＰＵＳＣＨ）の選択合成を行う。
【００７２】
第１実施形態において、制御部３１６Ａは、非アンカー無線基地局３１０Ｂから通知された受信品質に基づいて、上りリンクにおける協調受信処理を行う無線基地局によって構成される無線基地局群から非アンカー無線基地局３１０Ｂを除外するか否かを判定する。
【００７３】
第１手法としては、制御部３１６Ａは、最良受信品質に対する差異が第１閾値を超える受信品質を測定（通知）する非アンカー無線基地局３１０Ｂを無線基地局群から除外する。第１手法において、制御部３１６Ａは、ＵＥ１０から受信する前記上りリンク信号の受信品質を測定するアンカー側測定部を構成する。
【００７４】
なお、最良受信品質は、上述したように、アンカー無線基地局３１０Ａによって測定された受信品質及び非アンカー無線基地局３１０Ｂによって測定された受信品質のうち、最も良好な受信品質である。
【００７５】
第２手法として、制御部３１６Ａは、第２閾値を下回る受信品質を測定（通知）する非アンカー無線基地局３１０Ｂを無線基地局群から除外する。
【００７６】
上述したように、受信品質は、例えば、ＵＥ１０から送信される上りリンク信号のＳＩＮＲ（Ｓｉｇｎａｌ  ｔｏ  Ｉｎｔｅｒｆｅｒｅｎｃｅ  Ｒａｔｉｏ）、Ｃ／Ｉ（Ｃａｒｒｉｅｒ  ｔｏ  Ｉｎｔｅｒｆｅｒｅｎｃｅ）、受信レベルなどである。受信品質を測定すべき上りリンク信号は、例えば、ＤＭ  ＲＳ（Ｄｅｍｏｄｕｌａｔｉｏｎ  Ｒｅｆｅｒｅｎｃｅ  Ｓｉｇｎａｌ）又はＳＲＳ（Ｓｏｕｎｄｉｎｇ  Ｒｅｆｅｒｅｎｃｅ  Ｓｉｇｎａｌ）である。ＤＭ  ＲＳは、ＰＵＳＣＨの復調に用いる参照信号である。ＳＲＳは、上りリンクの帯域全体に亘って分散される参照信号である。
【００７７】
（非アンカー無線基地局）
以下において、第１実施形態に係る非アンカー無線基地局について説明する。図８は、第１実施形態に係る非アンカー無線基地局３１０Ｂを示すブロック図である。
【００７８】
図８に示すように、非アンカー無線基地局３１０Ｂは、受信部３１３Ｂと、送信部３１４Ｂと、インタフェース３１５Ｂと、制御部３１６Ｂとを有する。
【００７９】
受信部３１３Ｂは、非アンカー無線基地局３１０Ｂによって管理されるセルと接続されたＵＥ１０から上りリンク信号を受信する。受信部３１３Ｂは、例えば、上りリンク共有チャネル（ＰＵＳＣＨ）を介して上りリンク信号を受信する。
【００８０】
送信部３１４Ｂは、非アンカー無線基地局３１０Ｂによって管理されるセルと接続されたＵＥ１０に下りリンク信号を送信する。送信部３１４Ｂは、非アンカー無線基地局３１０Ｂをサービング基地局（サービングセル）として利用するＵＥ１０に対して、非アンカー無線基地局３１０Ｂによって割当てられた無線リソース（スケジューリング情報）を送信する。
【００８１】
インタフェース３１５Ｂは、バックホール・ネットワーク経由で他の無線基地局と通信を行うインタフェースである。インタフェース３１５Ｂは、無線基地局同士を直接的に接続するＸ２インタフェースである。或いは、インタフェース３１５Ｂは、無線基地局同士を上位ノード（例えば、ＭＭＥ１３０）経由で接続するＳ１インタフェースである。
【００８２】
第１実施形態において、インタフェース３１５Ｂは、バックホール・ネットワークを介して非アンカー無線基地局３１０Ｂによって測定された受信品質（非アンカー無線基地局３１０ＢがＵＥ１０から受信する上りリンク信号の受信品質）をアンカー無線基地局３１０Ａに通知する。インタフェース３１５Ｂは、バックホール・ネットワークを介して、非アンカー無線基地局３１０Ｂが受信する上りリンク信号（ＰＵＳＣＨ）をアンカー無線基地局３１０Ａに送信する。
【００８３】
制御部３１６Ｂは、非アンカー無線基地局３１０Ｂの動作を制御する。第１実施形態において、制御部３１６Ｂは、ＵＥ１０から受信する前記上りリンク信号の受信品質を測定する非アンカー側測定部を構成する。
【００８４】
上述したように、受信品質は、例えば、ＵＥ１０から送信される上りリンク信号のＳＩＮＲ（Ｓｉｇｎａｌ  ｔｏ  Ｉｎｔｅｒｆｅｒｅｎｃｅ  Ｒａｔｉｏ）、Ｃ／Ｉ（Ｃａｒｒｉｅｒ  ｔｏ  Ｉｎｔｅｒｆｅｒｅｎｃｅ）、受信レベルなどである。受信品質を測定すべき上りリンク信号は、例えば、ＤＭ  ＲＳ（Ｄｅｍｏｄｕｌａｔｉｏｎ  Ｒｅｆｅｒｅｎｃｅ  Ｓｉｇｎａｌ）又はＳＲＳ（Ｓｏｕｎｄｉｎｇ  Ｒｅｆｅｒｅｎｃｅ  Ｓｉｇｎａｌ）である。ＤＭ  ＲＳは、ＰＵＳＣＨの復調に用いる参照信号である。ＳＲＳは、上りリンクの帯域全体に亘って分散される参照信号である。
【００８５】
（移動通信システムの動作）
以下において、第１実施形態に係る移動通信システムの動作について説明する。図９及び図１０は、第１実施形態に係る移動通信システム１００の動作を示すシーケンス図である。
【００８６】
第１に、最良受信品質に対する差異が第１閾値を超える受信品質を測定（通知）する非アンカー無線基地局３１０Ｂを無線基地局群から除外する第１手法について、図９を参照しながら説明する。
【００８７】
図９に示すように、ステップ１１において、アンカー無線基地局３１０Ａは、ＵＥ１０から上りリンク信号を受信するタイミングを所望のタイミングに調整するように、ＵＥ１０が上りリンク信号を送信するタイミングを調整するための制御信号（ＴＡ）をＵＥ１０に送信する。
【００８８】
ステップ１２において、ＵＥ１０は、アンカー無線基地局３１０Ａから受信する制御信号（ＴＡ）に基づいて、上りリンク信号の送信タイミングを調整する。
【００８９】
ステップ１３において、ＵＥ１０は、ステップ１２で調整されたタイミングで上りリンク信号（ＰＵＳＣＨ）を送信する。ここで、アンカー無線基地局３１０Ａ及び非アンカー無線基地局３１０Ｂは、上りリンクにおける協調受信処理を行っている。
【００９０】
ステップ１４Ａにおいて、アンカー無線基地局３１０Ａは、ＵＥ１０から受信する上りリンク信号（例えば、“ＤＭ  ＲＳ”又は“ＳＲＳ”）の受信品質を測定する。同様に、ステップ１４Ｂにおいて、非アンカー無線基地局３１０Ｂは、ＵＥ１０から受信する上りリンク信号（例えば、“ＤＭ  ＲＳ”又は“ＳＲＳ”）の受信品質を測定する。
【００９１】
ステップ１５において、非アンカー無線基地局３１０Ｂは、バックホール・ネットワークを介して非アンカー無線基地局３１０Ｂによって測定された受信品質（非アンカー無線基地局３１０ＢがＵＥ１０から受信する上りリンク信号の受信品質）をアンカー無線基地局３１０Ａに通知する。
【００９２】
ステップ１６において、アンカー無線基地局３１０Ａは、最良受信品質と非アンカー無線基地局３１０Ｂから通知される受信品質との差異が第１閾値よりも大きいか否かを判定する。なお、最良受信品質は、上述したように、アンカー無線基地局３１０Ａによって測定された受信品質及び非アンカー無線基地局３１０Ｂによって測定された受信品質のうち、最も良好な受信品質である。
【００９３】
判定結果が“ＹＥＳ”である場合には、アンカー無線基地局３１０Ａは、ステップ１７の処理に移る。判定結果が“ＮＯ”である場合には、アンカー無線基地局３１０Ａは、一連の処理を終了する。
【００９４】
ステップ１７において、アンカー無線基地局３１０Ａは、最良受信品質に対する差異が第１閾値を超える受信品質を測定（通知）する非アンカー無線基地局３１０Ｂに対して、無線基地局群から除外する旨を通知する。
【００９５】
第２に、第２閾値を下回る受信品質を測定（通知）する非アンカー無線基地局３１０Ｂを無線基地局群から除外する第２手法について、図１０を参照しながら説明する。図１０において、図９と同様の処理については、同様の符号を付している。従って、図９と同様の処理の説明については省略する。
【００９６】
図９に示すフローと比べて、図１０に示すフローでは、ステップ１４Ａの処理が省略されている。また、ステップ１６の処理に代えて、ステップ１６Ｘの処理が行われる。
【００９７】
ステップ１６Ｘにおいて、アンカー無線基地局３１０Ａは、非アンカー無線基地局３１０Ｂから通知される受信品質が第２閾値を下回っているか否かを判定する。
【００９８】
判定結果が“ＹＥＳ”である場合には、アンカー無線基地局３１０Ａは、ステップ１７の処理に移る。すなわち、ステップ１７において、アンカー無線基地局３１０Ａは、第２閾値を下回る受信品質を測定（通知）する非アンカー無線基地局３１０Ｂに対して、無線基地局群から除外する旨を通知する。判定結果が“ＮＯ”である場合には、アンカー無線基地局３１０Ａは、一連の処理を終了する。
【００９９】
第２手法では、アンカー無線基地局３１０Ａは、非アンカー無線基地局３１０Ｂから通知される受信品質が第２閾値を下回っているか否かを判定する。しかしながら、第２手法は、これに限定されるものではない。具体的には、非アンカー無線基地局３１０Ｂは、非アンカー無線基地局３１０ＢがＵＥ１０から受信する上りリンク信号の受信品質が第２閾値を下回っているか否かを判定してもよい。非アンカー無線基地局３１０Ｂは、受信品質が第２閾値を下回っている場合には、受信品質が第２閾値を下回っている旨をアンカー無線基地局３１０Ａに通知する。
【０１００】
図９及び図１０では、第１手法及び第２手法を別々に説明したが、実施形態は、これに限定されるものではない。例えば、アンカー無線基地局３１０Ａは、第１手法の条件及び第２手法の条件の双方を満たす非アンカー無線基地局３１０Ｂを無線基地局群から除外してもよい。或いは、アンカー無線基地局３１０Ａは、第１手法の条件及び第２手法の条件のいずれかを満たす非アンカー無線基地局３１０Ｂを無線基地局群から除外してもよい。
【０１０１】
（作用及び効果）
第１実施形態では、ＵＥ１０から上りリンク信号を受信するタイミングがアンカー無線基地局３１０Ａにとって所望のタイミングに調整された上で、非アンカー無線基地局３１０Ｂから通知された受信品質に基づいて、非アンカー無線基地局３１０Ｂを無線基地局群から除外するか否かが判定される。従って、上りリンクにおける協調受信処理に寄与しない無線基地局（非アンカー無線基地局３１０Ｂ）を無線基地局群から適切に除外することができる。さらには、上りリンクにおける協調受信処理に寄与しない無線基地局（非アンカー無線基地局３１０Ｂ）からアンカー無線基地局３１０Ａに対して、バックホール・ネットワークを介して上りリンク信号を送信する必要がないため、バックホール・ネットワークのリソースの無駄な消費が抑制される。
【０１０２】
[変更例１]
以下において、第１実施形態の変更例１について説明する。以下においては、第１実施形態に対する相違点について主として説明する。
【０１０３】
第１実施形態では特に触れていないが、変更例１では、第１閾値が可変である。具体的には、第１閾値を設定する手法として、第１手法及び第２手法について説明する。
【０１０４】
第１手法では、図１１に示すように、第１閾値は、最良受信品質に応じて定められる。具体的には、最良受信品質が良好であるほど、第１閾値として小さな値が採用される。すなわち、上りリンク信号（ＰＵＳＣＨ）の受信品質が良好である場合に、第１閾値として小さな値が採用される。
【０１０５】
例えば、最良受信品質（ＳＩＮＲ）が１０ｄＢ以上である場合には、第１閾値として０ｄＢが採用される。すなわち、第１閾値が０ｄＢであるということは、上りリンクにおける協調受信処理が行われないことを意味する。一方で、最良受信品質（ＳＩＮＲ）が０ｄＢ未満である場合には、第１閾値として１０ｄＢが採用される。すなわち、多くの非アンカー無線基地局３１０Ｂが無線基地局群に含まれるように第１閾値が定められる。
【０１０６】
第２手法では、図１２に示すように、第１閾値は、上りリンク信号（ＰＵＳＣＨ）の変調方式に応じて定められる。具体的には、変調方式が低次であるほど、第１閾値として小さな値が採用される。すなわち、上りリンク信号（ＰＵＳＣＨ）の受信品質が良好であると想定される場合に、第１閾値として小さな値が採用される。
【０１０７】
例えば、変調方式がＢＰＳＫである場合には、第１閾値として５ｄＢが採用される。一方で、変調方式が１６ＱＡＭ以上である場合には、第１閾値として１０ｄＢが採用される。
【０１０８】
第１閾値は、第１手法及び第２手法の組合せによって定められてもよい。このようなケースでは、最良受信品質が良好であるほど、かつ、変調方式が低次であるほど、第１閾値として小さな値が採用される。
【０１０９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１０】
実施形態では特に触れていないが、アンカー無線基地局３１０Ａは、一般的には、上りリンクにおける協調受信処理の対象とされるＵＥ１０にとってサービング基地局（サービングセル）である。また、ＵＥ１０から上りリンク信号を受信するタイミングが所望のタイミングに調整されるため、最良受信品質は、一般的には、アンカー無線基地局３１０Ａにおいて測定される受信品質である。
【０１１１】
上述した実施形態では特に触れていないが、ＵＥ１０、アンカー無線基地局３１０Ａ及び非アンカー無線基地局３１０Ｂが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１２】
或いは、ＵＥ１０が行う各処理を実行するためのプログラムを記憶するメモリ及びメモリに記憶されたプログラムを実行するプロセッサによって構成されるチップが提供されてもよい。
【０１１３】
上述した実施形態では、本発明をＬＴＥシステムに適用する一例を説明したが、ＬＴＥシステムに限定されるものではなく、ＬＴＥシステム以外のシステムに本発明を適用してもよい。
【０１１４】
なお、米国仮出願第６１／７２４３９３号（２０１２年１１月９日出願）の全内容が、参照により、本願明細書に組み込まれている。
【産業上の利用可能性】
【０１１５】
以上のように、本発明に係る移動通信システム及び移動通信方法は、上りリンクにおける協調受信処理に寄与しない無線基地局を無線基地局群から適切に除外することができるため、移動通信分野において有用である。
【図１】
2014073540.tif 000003
【図２】
2014073540.tif 000004
【図３】
2014073540.tif 000005
【図４】
2014073540.tif 000006
【図５】
2014073540.tif 000007
【図６】
2014073540.tif 000008
【図７】
2014073540.tif 000009
【図８】
2014073540.tif 000010
【図９】
2014073540.tif 000011
【図１０】
2014073540.tif 000012
【図１１】
2014073540.tif 000013
【図１２】
2014073540.tif 000014
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
無線端末と通信を行う複数の無線基地局を備える移動通信システムであって、
前記複数の無線基地局は、１つのアンカー無線基地局と前記アンカー無線基地局以外の非アンカー無線基地局とを含む無線基地局群を構成しており、
前記非アンカー無線基地局は、
前記無線端末から受信する上りリンク信号の受信品質を測定する非アンカー側測定部と、
前記非アンカー側測定部によって測定された受信品質を前記アンカー無線基地局に通知する通知部とを備え、
前記アンカー無線基地局は、
前記無線端末から上りリンク信号を受信するタイミングを所望のタイミングに調整するように、前記無線端末が上りリンク信号を送信するタイミングを調整するための制御信号を前記無線端末に送信する送信部と、
前記非アンカー無線基地局から通知された受信品質に基づいて、前記非アンカー無線基地局を前記無線基地局群から除外するか否かを判定する判定部とを備えることを特徴とする移動通信システム。
【請求項２】
前記アンカー無線基地局は、前記無線端末から受信する前記上りリンク信号の受信品質を測定するアンカー側測定部を備え、
前記判定部は、前記アンカー側測定部によって測定された受信品質及び前記非アンカー側測定部によって測定された受信品質に含まれる最良の受信品質に対する差異が第１閾値を超える受信品質を測定する非アンカー無線基地局を前記無線基地局群から除外すると判定することを特徴とする請求項１に記載の移動通信システム。
【請求項３】
前記判定部は、前記非アンカー側測定部によって測定された受信品質が第２閾値を下回る受信品質を測定する非アンカー無線基地局を前記無線基地局群から除外すると判定することを特徴とする請求項１に記載の移動通信システム。
【請求項４】
前記第１閾値は、前記最良の受信品質に応じて定められることを特徴とする請求項２に記載の移動通信システム。
【請求項５】
前記第１閾値は、前記上りリンク信号の変調方式に応じて定められることを特徴とする請求項２に記載の移動通信システム。
【請求項６】
無線端末と通信を行う複数の無線基地局を備える移動通信システムで用いる移動通信方法であって、
前記複数の無線基地局は、１つのアンカー無線基地局と前記アンカー無線基地局以外の非アンカー無線基地局とを含む無線基地局群を構成しており、
前記アンカー無線基地局から前記無線端末に対して、前記無線端末から上りリンク信号を受信するタイミングを所望のタイミングに調整するように、前記無線端末が上りリンク信号を送信するタイミングを調整するための制御信号を送信するステップＡと、
前記非アンカー無線基地局において、前記無線端末から受信する上りリンク信号の受信品質を測定するステップＢと、
前記非アンカー無線基地局から前記アンカー無線基地局に対して、前記ステップＢで測定された受信品質を通知するステップＣと、
前記アンカー無線基地局において、前記非アンカー無線基地局から通知された受信品質に基づいて、前記非アンカー無線基地局を前記無線基地局群から除外するか否かを判定するステップＤとを備えることを特徴とする移動通信方法。
【請求項７】
アンカー無線基地局及び非アンカー無線基地局を含む無線基地局群のうちのアンカー無線基地局であって、
無線端末が上りリンク信号を送信するタイミングを調整するための制御信号を前記無線端末に対して送信する送信部と、
前記非アンカー無線基地局が測定した前記無線端末からの上りリンク信号の受信品質を前記非アンカー無線基地局から受信する受信部と、
前記受信品質に基づいて、前記非アンカー無線基地局を前記無線基地局群から除外するか否かを判定する制御部と、を備えることを特徴とするアンカー無線基地局。
【国際調査報告】
2014073540.tif 000015
2014073540.tif 000016